(57)【要約】【課題】パネルの接合部の隙間を生めることができて見栄えがよく、さらにパネルの接合部がより強固に接合されるパネル接合構造を提供する。【解決手段】一対のパネル１，１のパネル端面２にそれぞれ凹溝３，３が設けられ、凹溝３はパネル端面２における床面と略垂直方向全域に亘って連続して配設してあって、一対のパネル１、１はパネル端面２，２同士を対向させて、パネル端面２，２間にパネル接合部材４を介在させて接合されるものであり、パネル接合部材４は雇い実５とヒレ状部材６とを備えており、雇い実５は凹溝３と嵌合されて、ヒレ状部材６は雇い実５におけるパネル１の表面に対して略平行方向にあたる側面に突設し、雇い実５における床面と略垂直方向全域に亘って連続して設けられ、ヒレ状部材６がパネル端面２，２間に介在されて一対のパネル１，１が接合されていることを特徴とするパネル接合構造。【選択図】  図１
2005307626.tif 000002
【特許請求の範囲】
【請求項１】
一対のパネルのパネル端面にそれぞれ凹溝が設けられ、
前記凹溝は前記パネル端面における床面と略垂直方向全域に亘って連続して配設してあって、
前記一対のパネルは前記凹溝が設けられた前記パネル端面同士を対向させて、前記パネル端面間にパネル接合部材を介在させて接合されるものであり、
前記パネル接合部材は雇い実とヒレ状部材とを備えており、
前記雇い実は前記凹溝と嵌合されて、
前記ヒレ状部材は前記雇い実における前記パネル表面に対して略平行方向にあたる側面から突設し、前記雇い実における床面と略垂直方向全域に亘って連続して設けられていて、
前記ヒレ状部材が前記パネル端面間に介在されて前記一対のパネルが接合されていることを特徴とするパネル接合構造。
【請求項２】
パネルを開口枠に接合するにあたり、
前記パネルのパネル端面には凹溝が設けられ、前記凹溝は前記パネル端面における床面と略垂直方向全域に亘って連続して配設してあって、
前記パネルは前記パネル端面と前記開口枠の開口枠端面とを対向させて、前記パネル端面と前記開口枠端面との間にパネル接合部材を介在させて接合されるものであり、
前記パネル接合部材は雇い実とヒレ状部材とを備えており、
前記雇い実は前記凹溝と嵌合されて、
前記ヒレ状部材は前記雇い実における前記パネル表面に対して略平行方向にあたる側面から突設し、前記雇い実における床面と略垂直方向全域に亘って連続して設けられていて、
前記ヒレ状部材が前記パネル端面と前記開口枠端面との間に介在されて前記パネルと前記開口枠とが接合されていることを特徴とするパネル接合構造。
【請求項３】
前記雇い実が硬質の材料で形成されており、
前記ヒレ状部材が軟質の材料で形成されていることを特徴とする請求項１または２に記載のパネル接合構造。
【発明の詳細な説明】
【技術分野】
【０００１】
本発明はパネル等を接合する時のパネル接合構造に関するものである。
【背景技術】
【０００２】
従来、パネル同士の接合に用いられるパネル接合部材においては、パネルの端面における凹部に嵌合される棒状の雇い実を設けたものや、パネル同士の嵌合性を向上させるために、雇い実を中空にして雇い実が撓むことができるようにしたものが知られている。
【０００３】
また、雇い実の側面にヒレを設けて、パネルとの嵌合性をよくしたものが知られている。図１０は従来のパネル接合構造を示した断面図である。図１０に例示したように、雇い実１４と該雇い実１４の周面に設けられたヒレ形状板部１５とを樹脂で一体に形成し、ヒレ形状板部１５を一対のパネル１６における一方の凹溝１７の側面内壁に弾接して係止させ、他方の凹溝１７の側面内壁には内部に中空部を有した略角筒形状の雇い実１４自体を密着させて嵌合させているものである（例えば、特許文献１参照。）。
【特許文献１】特開２００１−９８６５２号公報
【発明の開示】
【発明が解決しようとする課題】
【０００４】
しかし、上記従来技術には以下のような課題がある。
【０００５】
パネル同士を接合する施工の際には、パネル同士は棒状の雇い実や中空の雇い実、また特許文献１のような樹脂製のヒレを設けてパネルの凹溝内部と嵌合させて接合されているが、パネルの端面同士の間に必然的にできてしまう隙間を埋めることはできていない。するとパネルの接続が仕上がった場合でも、パネル同士の連結部分は僅かな隙間が開いている状態となる。このような隙間が開いていると見栄えが悪い。また長期使用により該隙間にゴミや埃がたまってきたりする。さらに該隙間は掃除するのが困難である。
【０００６】
本発明は上記課題に鑑みてなしたものであって、その目的はパネルの接合部の隙間を埋めることができて見栄えがよく、さらにパネルの接合部がより強固に接合されるパネル接合構造を提供することにある。
【課題を解決するための手段】
【０００７】
請求項１に係る発明のパネル接合構造は、一対のパネルのパネル端面にそれぞれ凹溝が設けられ、前記凹溝は前記パネル端面における床面と略垂直方向全域に亘って連続して配設してあって、前記一対のパネルはパネル端面同士を対向させて、前記パネル端面間にパネル接合部材を介在させて接合されるものであり、前記パネル接合部材は雇い実とヒレ状部材とを備えており、前記雇い実は前記凹溝と嵌合されて、前記ヒレ状部材は前記雇い実における前記パネル表面に対して略平行方向にあたる側面から突設し、前記雇い実における床面と略垂直方向全域に亘って連続して設けられていて、前記ヒレ状部材が前記パネル端面間に介在されて前記一対のパネルが接合されていることを特徴とする。
【０００８】
請求項２に係る発明のパネル接合構造は、パネルを開口枠に接合するにあたり、前記パネルのパネル端面には凹溝が設けられ、前記凹溝は前記パネル端面における床面と略垂直方向全域に亘って連続して配設してあって、前記パネルは前記パネル端面と前記開口枠の開口枠端面とを対向させて、前記パネル端面と前記開口枠端面との間にパネル接合部材を介在させて接合されるものであり、前記パネル接合部材は雇い実とヒレ状部材とを備えており、前記雇い実は前記凹溝と嵌合されて、前記ヒレ状部材は前記雇い実における前記パネル表面に対して略平行方向にあたる側面から突設し、前記雇い実における床面と略垂直方向全域に亘って連続して設けられていて、前記ヒレ状部材が前記パネル端面と前記開口枠端面との間に介在されて前記パネルと前記開口枠とが接合されていることを特徴とする。
【０００９】
請求項３に係る発明のパネル接合構造は、請求項１または２に記載のパネル接合構造において、前記雇い実が硬質の材料で形成されており、前記ヒレ状部材が軟質の材料で形成されていることを特徴とする。
【発明の効果】
【００１０】
請求項１に係る発明のパネル接合構造によれば、雇い実におけるパネルと略平行な面である側面からヒレ状部材が突設してあることにより、一対のパネル同士を接合する場合、パネル端面の間にヒレ状部材が介在されてパネルが接合される。このことにより、従来、施工の関係上必然的に開いてしまっていたパネル同士の隙間を埋めることができて、見栄えがよくなると共に、パネルの接合部分のがたつきがなくなり、より強固にパネル同士が接合される。
【００１１】
請求項２に係る発明のパネル接合構造によれば、パネルと別部材である開口枠とを接合する場合、両者の間にヒレ状部材が介在されてパネルと開口枠とが接合され、パネル端面と開口枠端面との間の隙間を埋めることができて、見栄えがよくなると共に、より強固にパネルと開口枠とが接合される。
【００１２】
請求項３に係る発明のパネル接合構造によれば、パネル相互間およびパネルと開口枠とを接合する場合に存在する隙間が均等な幅になっていない場合であっても、ヒレ状部材が軟質の材料であることにより、隙間の大小によらず、該隙間をくまなく埋めることができる。
【発明を実施するための最良の形態】
【００１３】
以下、本発明を実施形態に基づいて説明する。
【００１４】
ここで、パネルの表面とはパネルの主面となる面のことをいい、雇い実の側面とは、雇い実におけるパネルが接合された場合のパネル表面と略平行方向にあたる面のことをいう。
【００１５】
（実施形態１）
図１は本発明のパネル接合構造のパネル接合完了時の断面図である。また、図２はパネル接合部材をパネル１に取り付ける場合の取り付け過程を示した斜視図である。また、図３は本発明におけるパネル接合部材の組み立て構造を示した断面図である。
【００１６】
一対のパネル同士を接合する方法としては様々な方法が用いられる。例えば、一方のパネルの端面に凹部を形成し、他方のパネルの端部に凸部を形成して凹部に凸部を嵌合わせる方法等が用いられることがあるが、本発明は一対のパネルの端面に凹溝を形成し、該凹溝に雇い実を介入させて、パネル同士を接合する場合に用いられるものである。
【００１７】
図１および図２に例示したように、一対のパネル１，１同士を接合する際に、パネル１のパネル端面２に凹溝３を設け、凹溝３はパネル端面２における床面と略垂直方向全域に亘って、連続して設けられている。凹溝３におけるパネル端面２と略平行方向の幅はパネル端面２の幅よりも小さくて、凹溝３のパネル１表面と略平行方向における深さは、パネル１接合の時の施工のし易さや、パネル１の強度を考慮して任意に決定すればよい。凹溝３としては本実施形態のように断面形状がコの字状の溝であるのが好ましい。しかし、凹溝の断面形状はＶ字状のものであってもよいし、任意に決定することが可能である。
【００１８】
パネル１，１同士の間にはパネル接合部材４が介在される。パネル接合部材４は雇い実５とヒレ状部材６とで構成されている。具体的には凹溝３には雇い実５が嵌合される。雇い実５の形状としてはパネル１の凹溝３に合わせて、凹溝３に嵌合することができるように決定するとよい。本実施形態の場合、凹溝３の断面形状はコの字形状を有しているため、一対のパネル１，１接合時に凹溝３，３同士で形成される形状は略長方形の形状となる。そのため、雇い実５の断面形状は略長方形の形状を有している。雇い実５の形状は、凹溝３の形状に合わせて決定すればよい。雇い実５はパネル端面２における床面と略垂直方向に伸びている棒状のものであるとよい。また、棒状の雇い実５の断面の中心部分は中空となっていることが好ましい。このことにより、雇い実５に用いる材料の使用量が少なくて済むと共に、雇い実５が全体として撓み易くなり、雇い実５を実際に凹溝３に嵌合させる時に、凹溝３に微妙な寸法のずれがあったとしても、雇い実５を凹溝３にねじ込んで嵌合させ易くなる。雇い実５に用いる材料としては、パネルの接合部を強固にするために硬質な材料（例えば、金属等）を用いるとよい。しかし、凹溝３に嵌合する関係上、凹溝３と雇い実５との寸法が合わなかった場合、雇い実５を撓ませてねじ込ませ、嵌合わせることができるように、比較的硬度のある樹脂（例えばオレフィン系エラストマー：硬度８０度等）を用いるとさらに好ましい。
【００１９】
図１および図２に例示したように、雇い実５の両側面には、該雇い実５の側面に対して略垂直方向にヒレ状部材６，６が突設されている。ヒレ状部材６は薄板状の板材が雇い実５の側面に床面と略垂直方向に亘って連続して設けられているものである。ヒレ状部材６としては軟質の部材（例えば、ゴムまたはオレフィン系エラストマー：硬度２０度等）を用いるのがよい。薄板状のヒレ状部材６の板厚としては、一対のパネル１、１を接合する時に、対向するパネル端面２，２同士によって生じる隙間（Ｇ）に合わせて決定すればよい。ヒレ状部材６における雇い実５の側面と略垂直方向の長さとしては、一対のパネル１，１を接合した時に、パネル１，１の表面からヒレ状部材６が飛び出ないような長さであればよい。
【００２０】
また、ヒレ状部材６は雇い実５の片方の側面にのみ設けられていてもよい。この場合は、ヒレ状部材６を雇い実５の両側面に設けた時と同様に、軟質の部材であって、パネル１，１同士の隙間（Ｇ）に合わせて決定し、雇い実５の側面と略垂直方向の長さとしてはパネル１，１同士の接合時にパネル１，１の表面から飛び出さないような長さであればよい。
【００２１】
ここで、パネル接合部材４の形成方法、つまり雇い実５とヒレ状部材６との結合方法の一例を図３に基づいて説明する。雇い実５の両側面または片方の側面にヒレ状部材６を設ける場合はいずれも、まず、雇い実５におけるヒレ状部材６が取り付けられる場所に凹所７を形成する。該凹所７は雇い実５における床面と略垂直方向に亘って連続して設けられる。該凹所７に薄板状のヒレ状部材６を突き刺すようにして、接着剤等の公知の貼り付け手段を用いて取り付けることが好ましい。
【００２２】
次に、一対のパネル１，１の接合方法について図２を用いて説明する。雇い実５の両側面にヒレ状部材６，６が取り付けられたパネル接合部材４においては、一対のパネル１，１にそれぞれ凹溝３が形成され、パネル接合部材４を一対のパネル１，１の間に介在させて、パネル１，１同士を接合する。まず、一方のパネル１の凹溝３に雇い実５を接着剤等の公知の貼り付け手段を利用して嵌合する。次いで、他方のパネル１の凹溝３に、雇い実５のパネル１と嵌合されていない側を接着剤等の公知の貼り付け手段を用いて嵌合させる。この時、パネル端面２，２間にはヒレ状部材６，６が介入されているだけであるが、なるべく間が開かないようにパネル１，１同士を接合するのがよい。しかし、パネル１，１同士の隙間（Ｇ）はパネルの上下方向において、必ずしも均一になっているとは限らない。ここで、ヒレ状部材６が軟質の材料で形成されていることにより、例えパネル１同士の隙間（Ｇ）が不均一であったとしても、ヒレ状部材６におけるパネル１の表面と略水平方向の板厚を、パネル１，１同士の隙間（Ｇ）における最小の隙間よりも僅かに大きくしておけば、ヒレ状部材６の板厚を縮めることにより、パネル１，１同士の隙間（Ｇ）の調節が効くため、隙間（Ｇ）が不均一であっても簡単にヒレ状部材６で隙間（Ｇ）を埋めることができる。そして、パネル１を床面と略垂直に正しく建て込むことができる。
【００２３】
次に、雇い実５の片方の側面にヒレ状部材６が取り付けられたパネル接合部材４においては、パネル１に凹溝３が形成され、パネル接合部材４をパネル１，１同士の間に介在させて、パネル１，１同士を接合する。パネル１，１同士の間にパネル接合部材４を介在させる方法は、上記雇い実５の両側面にヒレ状部材６が設けられているパネル接合部材４の取り付け方法と同様である。この時、パネル端面２，２間にはヒレ状部材５が介入されているだけであって、なるべく間が開かないようにパネル１，１同士を接合するのがよい。他方のパネル端面２，２間は隙間（Ｇ）が開いている。ここで、上記上記雇い実５の両側面にヒレ状部材６が設けられているパネル接合部材４の取り付け方法と同様にヒレ状部材６が軟質であることにより、隙間（Ｇ）が不均一であってもパネル１を床面と略垂直に正しく建て込むことができる。
【００２４】
（実施形態２）
図４は本発明の他の実施形態を示した断面図である。図４に例示した雇い実５の両側面にヒレ状部材６，６が取り付けられたパネル接合部材４は、実施形態１と同様に、床面と略垂直方向全域に亘って設けられている棒状のものとなっている。しかし、本実施形態の場合、雇い実５は断面が鉤状である二つの基礎雇い実８が係合されて形成されている。
【００２５】
それぞれ二つの基礎雇い実８には実施形態１と同様にヒレ状部材６がそれぞれの基礎雇い実８の側面に対して略垂直に突設されている。ヒレ状部材６は薄板状の板材が基礎雇い実８の側面において床面と略垂直方向に亘って連続して設けられているものである。二つの基礎雇い実８の接触部分の面には、互いの係合をより強固にするために、すべり止め部９が形成されている。該すべり止め部９は鋸歯状の突出部が接触面全域に亘って設けられているのがよく、一方の基礎雇い実８の突出部と他方の基礎雇い実８の突出部とが互いに係合されていることが好ましい。二つの基礎雇い実８を組み合わせてできた雇い実５にヒレ状部材６が取り付けられたパネル接合部材４をパネル端面２間に介在させて、一対のパネル１，１同士を取り付ける方法は実施形態１と同様である。
【００２６】
また、雇い実５の片方の側面にのみヒレ状部材６が取り付けられたパネル接合部材４については、上記両側面にヒレ状部材６，６が設けられた場合において、片方の側面にヒレ状部材６を設けないだけであって、両側面にヒレ状部材６，６が設けられた場合と、組み立て構造および一対のパネル１，１の取り付け方法等は同様となる。
【００２７】
（実施形態３）
図５は本発明の他の実施形態を示した断面図である。図５に例示した雇い実５の両側面にヒレ状部材６が取り付けられたパネル接合部材４は、実施形態１と同様に、床面と略垂直方向全域に亘って設けられている棒状のものとなっている。しかし、本実施形態の場合、雇い実５はコの字状の断面形状を持つ二つの基礎雇い実８をコの字の開口部同士を合わせて形成されている。該二つの基礎雇い実８はパネル端面２と略平行な面において互いに合わせられるように形成されている。
【００２８】
二つの基礎雇い実８のそれぞれの両側面には、該側面と略垂直方向に基礎ヒレ状部材１０が設けられており、二つの基礎雇い実８を組み合わせた時に、それぞれの基礎ヒレ状部材１０が隣り合って接触し、一本のヒレ状部材６として形成されるのがよい。基礎ヒレ状部材１０は薄板状の板材が基礎雇い実８の側面において床面と略垂直方向に亘って連続して設けられているものである。コの字状の基礎雇い実８の凹状の空間には、基礎雇い実８の長辺方向と略平行方向に板状の係止部材１１が設けられており、一対の基礎雇い実８に設けられたそれぞれの係止部材１１が係合し合って、パネル端面２と略平行方向のずれを極力防止する役割を果たしている。係止部材１１としては、基礎雇い実８の材料と同じように硬度のある材料を用いるのがよい。また、図５のように係止部材１１は基礎ヒレ状部材１０における側面に対して角度が付けられているものであるとよい。しかし、係止部材１１の設置方法は、パネル端面２と略平行方向のずれを防止できるのであればその如何を問わない。二つの基礎雇い実７を組み合わせてできた雇い実５にヒレ状部材６が取り付けられたパネル接合部材４を介在させて、一対のパネル１，１同士を取り付ける方法は実施形態１と同様である
また、雇い実５の片方の側面にのみヒレ状部材６が取り付けられたパネル接合部材４については、上記両側面にヒレ状部材６，６が設けられた場合において、片方の側面にヒレ状部材６を設けないだけであって、両側面にヒレ状部材６，６が設けられた場合と、組み立て構造および一対のパネル１，１の取り付け方法等は同様となる。
【００２９】
（実施形態４）
図６は本発明の他の実施形態を示した断面図である。図６に例示した雇い実５にヒレ状部材６が取り付けられたパネル接合部材４は、実施形態１と同様に、床面と略垂直方向全域に亘って設けられている棒状のものとなっている。しかし、本実施形態の場合、雇い実５はパネル１の表面と略平行方向の面で合わせられるような、二つの基礎雇い実８が合わされて雇い実５を形成している。二つの基礎雇い実８としては図６のように断面形状が略長方形状のものであって中心部が中空となっているものであるとよい。
【００３０】
二つの基礎雇い実８のそれぞれの両側面には、該側面と略垂直方向にヒレ状部材６，６が設けられている。ヒレ状部材６は薄板状の板材が基礎雇い実８の側面において床面と略垂直方向に亘って連続して設けられているものである。二つの基礎雇い実８を組み合わせてできた雇い実５にヒレ状部材６が取り付けられたパネル接合部材４を介在させて、一対のパネル１，１同士を取り付ける方法は実施形態１と同様である。
【００３１】
また、雇い実５の片方の側面にのみヒレ状部材６が取り付けられたパネル接合部材４については、上記両側面にヒレ状部材６，６が設けられた場合において、片方の側面にヒレ状部材６を設けないだけであって、両側面にヒレ状部材６，６が設けられた場合と、組み立て構造および一対のパネル１，１同士の取り付け方法等は同様となる。
【００３２】
（実施形態５）
図７はパネル接合部材を用いて開口部等が設けられた開口枠にパネルを取り付けた時の断面図であり、図８は本発明のパネル接合構造において、開口枠にパネルに取り付ける場合の取り付け過程を示した斜視図であり、図９は本発明におけるパネル接合部材の組み立て構造を示した断面図である。
【００３３】
パネル１と開口枠１２とを接合する方法としては様々な方法が用いられる。しかし、本発明はパネル端面２に凹溝３を形成し、該凹溝３に雇い実５を介入させて、パネル１と開口枠１２（例えば窓枠等）とを接合する場合に用いられるものである。
【００３４】
図７および図８に例示したように、パネル１と開口枠１２とを接合する場合、パネル１のパネル端面２に凹溝３を設け、凹溝３はパネル端面２における床面と略垂直方向全域に亘って、連続して設けられている。凹溝３の形状は実施形態１と同様である。
【００３５】
パネル１と開口枠１２との間の凹溝３には雇い実５が嵌合されて介入される。雇い実５としてはパネル１の凹溝３の形状に合わせて決定するとよい。しかし、パネル１の凹溝３に嵌合することのできるものでなければならない。本実施形態の場合、凹溝３はコの字形状を有しているため、パネル１と開口枠１２の開口端面１３との接合時に形成される形状は凹溝３そのままの形状となる。そのため、雇い実５の断面形状は凹溝３と嵌合されるような、凹溝３に合わせた略長方形の形状を有しているとよい。雇い実５はパネル端面２における床面と略垂直方向に伸びている棒状のものであるとよい。また、棒状の雇い実５の断面の中心部分は中空、または一方が開口されているコの字形状となっていることが好ましい。このことにより、雇い実５に用いる材料の使用量が少なくて済むと共に、雇い実５が全体として撓み易くなり、雇い実５を実際に凹溝３に嵌合させる時に、凹溝３に微妙な寸法のずれがあったとしても、雇い実５を凹溝３にねじ込んで嵌合し易くなる。雇い実５に用いる材料としては、実施形態１と同様である。
【００３６】
図７および図８に例示したように、雇い実５の両側面には、該雇い実５の側面に対して略垂直方向にヒレ状部材６，６が突設されている。また、ヒレ状部材６は薄板状の板材が雇い実５の側面において床面と略垂直方向に亘って連続して設けられているものである。ヒレ状部材６の形状、材質等は実施形態１と同様である。また、雇い実５の片方の側面にのみヒレ状部材６が突設されている場合も実施形態１と同様である。
【００３７】
ここで、パネル接続部材４の形成方法、つまり雇い実５とヒレ状部材６との結合方法を図９に基づいて説明する。断面形状がコの字状の雇い実５の開口端面１３に、別部材として形成されたヒレ状部材６を接着等の公知の貼り付け手段を用いて取り付ける。雇い実５の他方の側面にも同様にしてヒレ状部材６が取り付けられる。こうして、パネル接合部材４が形成される。
【００３８】
次に、パネル１と開口枠１２との接合方法について図８を用いて説明する。パネル１に凹溝３が形成され、パネル接合部材４、すなわちヒレ状部材６が取り付けられた雇い実５をパネル１と開口枠１２との間に介在させて接合する。まず、パネル１の凹溝３に雇い実５を接着剤等の公知の貼り付け手段を利用して嵌合する。次いで、開口端面１３と雇い実５とを接着剤等の公知の貼り付け手段を用いて嵌合させる。この時、パネル１と開口枠１２との間にはヒレ状部材６が介入されているだけであって、なるべく隙間（Ｇ）が開かないようにパネル１と開口枠１２とを接合するのがよい。しかし、パネル１と開口枠１２との隙間（Ｇ）は上下方向において、必ずしも均一になっているとは限らない。ここで、ヒレ状部材６が軟質の材料で形成されていることにより、例えパネル１と開口枠１２との隙間（Ｇ）が不均一であったとしても、ヒレ状部材６の板厚を縮めることにより、パネル１と開口枠１２との隙間（Ｇ）の調節が効くため、簡単に隙間（Ｇ）を埋めることができる。そして、パネル１を床面と略垂直に正しく建て込むことができる。
【００３９】
また、雇い実５の片方の側面にのみヒレ状部材６が取り付けられたパネル接合部材４については、上記両側面にヒレ状部材６，６が設けられた場合において、片方の側面にヒレ状部材６を設けないだけであって、両側面にヒレ状部材６，６が設けられた場合と、組み立て構造およびパネル１と開口枠１２との取り付け方法等は同様となる。
【図面の簡単な説明】
【００４０】
【図１】本発明のパネル接合構造の実施形態を示した断面図である。
【図２】本発明のパネル接合構造の取り付け構造を示した斜視図である。
【図３】本発明の実施形態１のパネル接合構造を示した断面図である。
【図４】本発明の実施形態２のパネル接合構造を示した断面図である。
【図５】本発明の実施形態３のパネル接合構造を示した断面図である。
【図６】本発明の実施形態４のパネル接合構造を示した断面図である。
【図７】本発明の実施形態５を示した断面図である。
【図８】本発明の実施形態５のパネル接合構造の取り付け構造を示した斜視図である。
【図９】本発明の実施形態５のパネル接合構造を示した断面図である。
【図１０】従来技術のパネル接合構造を示した断面図である。
【符号の説明】
【００４１】
１．パネル
２．パネル端面
３．凹溝
４．パネル接合部材
５．雇い実
６．ヒレ状部材
７．凹所
８．基礎雇い実
９．すべり止め部
１０．基礎ヒレ状部材
１１．係止部材
１２．開口枠
１３．開口端面
【図１】
2005307626.tif 000003
【図２】
2005307626.tif 000004
【図３】
2005307626.tif 000005
【図４】
2005307626.tif 000006
【図５】
2005307626.tif 000007
【図６】
2005307626.tif 000008
【図７】
2005307626.tif 000009
【図８】
2005307626.tif 000010
【図９】
2005307626.tif 000011
【図１０】
2005307626.tif 000012